(57)【要約】【課題】本発明は、セグメント表示手段又はカラー表示手段を選択して情報を表示させる構成において、消費電力を低減できる電子機器、その表示制御方法及び表示制御プログラムを提供する。【解決手段】本発明の電子機器１は、セグメント表示手段１２と、セグメント表示手段１２よりも消費電力が大きいカラー表示手段２２と、環境光の明るさを検知する照度センサ１３ｅと、照度センサ１３ｅによって検知された環境光の明るさが第１の閾値を超える場合にセグメント表示手段１２に情報を表示させ、環境光の明るさが第１の閾値以下である場合にカラー表示手段２２に情報を表示させる第１中央演算処理装置１１及び第２中央演算処理装置２１とを備える。【選択図】図３
2019159226.tif 000002
【特許請求の範囲】
【請求項１】
第１表示手段と、
前記第１表示手段よりも消費電力が大きい第２表示手段と、
環境光の明るさを検知する光検知手段と、
前記光検知手段によって検知された環境光の明るさが第１の閾値を超える場合に前記第１表示手段に情報を表示させ、環境光の明るさが前記第１の閾値以下である場合に前記第２表示手段に情報を表示させる表示制御手段とを備え、
前記第２表示手段は、少なくとも、前記光検知手段によって検知された環境光の明るさが前記第１の閾値以下である場合においては前記第１表示手段よりも明るい
ことを特徴とする電子機器。
【請求項２】
前記電子機器の傾きを検知する傾き検知手段を更に備え、
前記表示制御手段は、前記傾き検知手段によって検知された前記電子機器の傾きが第２の閾値を超える場合に環境光の明るさが前記第１の閾値を超えるか否かによって、前記第１表示手段又は前記第２表示手段を選択して情報を表示させ、前記電子機器の傾きが前記第２の閾値以下である場合に環境光の明るさによらず前記第１表示手段に情報を表示させる
ことを特徴とする請求項１に記載の電子機器。
【請求項３】
前記表示制御手段は、前記電子機器が入力操作された場合又は外部の電子機器からの通信があった場合に、前記電子機器の傾き又は環境光の明るさによらず前記第２表示手段に情報を表示させる
ことを特徴とする請求項１又は２に記載の電子機器。
【請求項４】
前記表示制御手段は、前記第１表示手段又は前記第２表示手段に同一内容の情報を表示させる
ことを特徴とする請求項１から３までのいずれか１項に記載の電子機器。
【請求項５】
前記第１表示手段又は前記第２表示手段に表示させる情報は、その表示態様又は色が同一である
ことを特徴とする請求項４に記載の電子機器。
【請求項６】
前記第１表示手段は、セグメント表示手段からなり、
前記第２表示手段は、カラー液晶表示手段からなる
ことを特徴とする請求項１から５までのいずれか１項に記載の電子機器。
【請求項７】
前記第１表示手段は、セグメント表示手段からなり、
前記第２表示手段は、自発光型表示手段からなる
ことを特徴とする請求項１から５までのいずれか１項に記載の電子機器。
【請求項８】
第１表示手段と、前記第１表示手段よりも消費電力が大きい第２表示手段とを備える電子機器の表示制御方法であって、
環境光の明るさを検知するステップと、
検知された環境光の明るさが第１の閾値を超える場合に前記第１表示手段に情報を表示させ、環境光の明るさが前記第１の閾値以下である場合に前記第２表示手段に情報を表示させるステップとを含み、
前記第２表示手段は、少なくとも、検知された環境光の明るさが前記第１の閾値以下である場合においては前記第１表示手段よりも明るい
ことを特徴とする表示制御方法。
【請求項９】
第１表示手段と、前記第１表示手段よりも消費電力が大きい第２表示手段とを備える電子機器の表示制御プログラムであって、
環境光の明るさを検知する光検知処理と、
検知された環境光の明るさが第１の閾値を超える場合に前記第１表示手段に情報を表示させ、環境光の明るさが前記第１の閾値以下である場合に前記第２表示手段に情報を表示させる表示処理とを少なくとも実行させ、
前記第２表示手段は、少なくとも、検知された環境光の明るさが前記第１の閾値以下である場合においては前記第１表示手段よりも明るい
ことを特徴とする表示制御プログラム。
【発明の詳細な説明】
【技術分野】
【０００１】
本発明は、電子機器、その表示制御方法及び表示制御プログラムに関して、特に電子腕時計（スマートウォッチ）、その表示制御方法及び表示制御プログラムに関する。
【背景技術】
【０００２】
従来、セグメント表示手段と、カラー表示手段と、電子機器の傾きを検知する傾き検知部と、傾き検知部の検知結果に応じてセグメント表示手段及びカラー表示手段の切り替えを制御する制御部とを備える電子機器が開示されている（特許文献１参照）。
【先行技術文献】
【特許文献】
【０００３】
【特許文献１】特許第５６４０１７８号公報
【発明の概要】
【発明が解決しようとする課題】
【０００４】
しかしながら、特許文献１に記載された電子機器では、環境光の明るさによってはカラー表示手段で表示する必要がなく、セグメント表示手段で情報を表示してもよい場合であっても、検知部が検知した電子機器の傾きに応じてカラー表示手段で情報を表示し、消費電力が多くかかってしまうという課題があった。
【０００５】
そこで、本発明は、以上の課題に鑑みてなされたものであり、セグメント表示手段又はカラー表示手段を選択して情報を表示させる構成において、消費電力を低減できる電子機器、その表示制御方法及び表示制御プログラムを提供することを目的とする。
【課題を解決するための手段】
【０００６】
上記課題を解決するために、本発明に係る電子機器であって、第１表示手段と、前記第１表示手段よりも消費電力が大きい第２表示手段と、環境光の明るさを検知する光検知手段と、前記光検知手段によって検知された環境光の明るさが第１の閾値を超える場合に前記第１表示手段に情報を表示させ、環境光の明るさが前記第１の閾値以下である場合に前記第２表示手段に情報を表示させる表示制御手段とを備え、前記第２表示手段は、少なくとも、前記光検知手段によって検知された環境光の明るさが前記第１の閾値以下である場合においては前記第１表示手段よりも明るいことを特徴とする。
【発明の効果】
【０００７】
本発明によれば、セグメント表示手段又はカラー表示手段を選択して情報を表示させる構成において、消費電力を低減できる電子機器、その表示制御方法及び表示制御プログラムを提供することができる。
【図面の簡単な説明】
【０００８】
【図１】実施形態の電子機器の構成を示すブロック図である。
【図２】実施形態の電子機器の断面図である。
【図３】実施形態の電子機器の表示制御動作を示すフローチャートである。
【発明を実施するための形態】
【０００９】
以下、本発明を実施するための形態（以下、「実施形態」という）について、図面を参照して詳細に説明する。本明細書の実施形態においては、全体を通じて、同一の要素には同一の符号を付している。
【００１０】
（電子機器の構成）
まず、本実施形態の電子機器１の構成について、図１を参照して詳細に説明する。
図１は、実施形態の電子機器１の構成を示すブロック図である。
【００１１】
図１に示すように、本実施形態の電子機器１は、時計機能、通信機能や位置表示（ＧＰＳ）機能など各機能に応じた表示を行うセグメント表示手段１２（第１表示手段）及びカラー表示手段２２（第２表示手段）を備えるもので、ユーザの手首に装着される電子腕時計（スマートウォッチ）として構成されている。ただし、電子機器１は、スマートフォンやタブレットなど一般的なものであってもよい。
【００１２】
また、図１に示すように、電子機器１は、第１表示ブロックＢＬ１及び第２表示ブロックＢＬ２を備えている。第１表示ブロックＢＬ１は、第１中央演算処理装置（ＣＰＵ）１１及びセグメント表示手段１２を有しており、第２表示ブロックＢＬ２は、第２中央演算処理装置（ＣＰＵ）２１及びカラー表示手段２２を有している。ここで、第１中央演算処理装置１１には、少なくともセンサ手段１３、ＧＰＳ情報取得手段１４、第１記憶手段１５及び第１入力操作手段１６が接続されており、第２中央演算処理装置２１には、少なくとも近距離無線通信手段２３、無線通信手段２４、第２記憶手段２５及び第２入力操作手段２６が接続されている。なお、セグメント表示手段１２及びカラー表示手段２２について後述する。
【００１３】
第１中央演算処理装置１１は、所定の制御プログラムやアルゴリズムプログラムを実行することによって、第１入力操作手段１６における入力操作に応じた処理動作や、後述するセグメント表示手段１２における各種の情報の表示状態などを制御する。また、第１中央演算処理装置１１は、第２中央演算処理装置２１との間で所定の連携信号を送受信することによって、第２中央演算処理装置２１と連携かつ同期して、セグメント表示手段１２及びカラー表示手段２２における表示状態を制御する。すなわち、本実施形態では、後述する表示制御手段は、第１中央演算処理装置１１及び第２中央演算処理装置２１の両方によって構成されている。
【００１４】
本実施形態では、第１中央演算処理装置１１において実行される制御プログラムやアルゴリズムプログラムは、第１記憶手段１５に記憶されているが、これに限定されるものではなく、例えば、第１中央演算処理装置１１の内部にあらかじめ組み込まれるものであってもよい。
【００１５】
センサ手段１３は、例えば、加速度センサ１３ａやジャイロセンサ１３ｂ、地磁気センサ１３ｃ、脈拍センサ１３ｄ、環境光の明るさ（照度）を検知する照度センサ（光検知手段）１３ｅなどを含み、ユーザにおける物理的なデータ、生体的なデータ、照度データなどを取得して第１中央演算処理装置１１に出力する。なお、傾き検知手段は、電子機器１の表示面と鉛直方向とのなす角度（電子機器１の傾き）を検知するものであり、加速度センサ１３ａによって構成されている。
【００１６】
ＧＰＳ情報取得手段１４は、ＧＰＳ受信部を備えた測位手段であり、地理的なデータなどを取得して第１中央演算処理装置１１に出力する。これにより、第１中央演算処理装置１１において、センサ手段１３における動作の設定や制御、セグメント表示手段１２に表示する項目や情報の選択や設定などが行われる。
【００１７】
第１記憶手段１５は、第１中央演算処理装置１１において実行される制御プログラムやアルゴリズムプログラムを実行する際に使用するデータやその際に生成されるデータ、セグメント表示手段１２に表示するためのデータなどを記憶する。また、第１記憶手段１５は、第１中央演算処理装置１１において実行される制御プログラムやアルゴリズムプログラムを記憶するものであってもよい。
【００１８】
第１入力操作手段１６は、例えば電子機器１の筐体に設けられたボタンスイッチやマイクなどの入力手段であり、ユーザの入力操作に基づく各種の操作信号を第１中央演算処理装置１１に出力する。
【００１９】
第２中央演算処理装置２１は、第１中央演算処理装置１１と同様に、所定の制御プログラムやアルゴリズムプログラムを実行することによって、第２入力操作手段２６における入力操作に応じた処理動作や、後述するカラー表示手段２２における各種の情報の表示状態などを制御する。また、第２中央演算処理装置２１は、第１中央演算処理装置１１との間で所定の連携信号を送受信することによって、第１中央演算処理装置１１と連携かつ同期して、セグメント表示手段１２及びカラー表示手段２２における表示状態を制御する。
【００２０】
本実施形態では、第２中央演算処理装置２１において実行される制御プログラムやアルゴリズムプログラムは、第２記憶手段２５に記憶されているが、これに限定されるものではなく、例えば、第２中央演算処理装置２１の内部にあらかじめ組み込まれるものであってもよい。
【００２１】
近距離無線通信手段２３は、近距離（例えば、２０ｍ未満）で外部の電子機器（例えば、携帯端末）との通信を行うためのもの（例えば、Ｂｌｕｅｔｏｏｔｈ（登録商標）通信）であり、例えば、他の電子機器と同期して、外部の電子機器に記憶されたデータなどを受信して、第２中央演算処理装置２１を経由して第２記憶手段２５に記憶することができる。
【００２２】
無線通信手段２４は、所定の距離（例えば、１５０ｍ未満）で外部の電子機器（例えば、携帯端末やパソコン）との通信を行うためのもの（例えば、Ｗｉ−Ｆｉ；ｗｉｒｅｌｅｓｓ  ｆｉｄｅｌｉｔｙ（商標登録）通信）であり、例えば、外部の電子機器との間でメールやメッセージなどのやり取りを行うことができる。
【００２３】
第２記憶手段２５は、第２中央演算処理装置２１において実行される制御プログラムやアルゴリズムプログラムを実行する際に使用するデータやその際に生成されるデータ、カラー表示手段２２に表示するためのデータなどを記憶する。また、第２記憶手段２５は、第２中央演算処理装置２１において実行される制御プログラムやアルゴリズムプログラムを記憶するものであってもよい。
【００２４】
第２入力操作手段２６は、例えば、視認側に配置されるタッチパネルなどの入力手段であり（図２参照）、ユーザの入力操作に基づく各種の操作信号を第２中央演算処理装置２１に出力する。これにより、第２中央演算処理装置２１において、カラー表示手段２２に表示する項目や情報の選択や設定などが行われる。
【００２５】
（電子機器の構造）
つぎに、本実施形態の電子機器１の構造について、図２を参照して詳細に説明する。
図２は、実施形態の電子機器１の断面図である。
【００２６】
図２に示すように、本実施形態の電子機器１は、略円盤状に形成されており、視認側に配置される透明なタッチパネル２６（第２入力操作手段）と、背面側に配置されるカラー表示手段２２と、タッチパネル２６及びカラー表示手段２２の間に挟持されるセグメント表示手段１２とを有している。ただし、カラー表示手段２２は、セグメント表示手段１２よりも消費電力が大きいものである。また、カラー表示手段２２は、少なくとも、後述する環境光の照度が第１の閾値以下である場合（環境光が暗い場合）においてはセグメント表示手段１２よりも明るいものである。
【００２７】
セグメント表示手段１２は、モノクロ液晶表示パネルによって構成され、例えば、視認側から背面側に向かって順に設けられる偏光板１２１と、ガラス製の透明な基板１２２と、透明なＩＴＯ共通電極１２３と、液晶層１２４と、透明なＩＴＯ画素電極１２５と、ガラス製の透明な基板１２６とを備えている、一般的な構造のものである。ただし、偏光板１２１は、場合によっては備えなくてもよい。
【００２８】
カラー表示手段２２は、自発光型表示手段である有機ＥＬ表示手段（有機ＥＬ表示パネル）によって構成され、例えば、視認側から背面側に向かって順に設けられるガラス製の透明な基板２２１と、陽極となるＩＴＯ透明電極２２２と、正孔輸送層２２３と、各色の有機発光層２２４と、電子輸送層２２５と、陰極２２６と、黒テープ２２７とを備えている、フルカラー型の構造のものである。
【００２９】
このように、カラー表示手段２２は、カラー液晶表示手段ではなく、有機ＥＬ表示手段によって構成されることによって、カラー液晶表示手段に必要なバックライトを削減することができるので、電子機器１全体の簡易化、軽量化及び薄型化を図ることができる。また、カラー液晶表示手段に比べ、高画質や低消費電力化を実現することができる。
【００３０】
また、照度センサ１３ｅは、フォトダイオードやアンプ（図示しない）などを有しており、黒テープ２２７の外縁側に埋め込まれるようにカラー表示手段２２（有機ＥＬ表示手段）に設けられている。このように、照度センサ１３ｅは、平面視で電子機器１の筐体の領域内に配置されることによって、平面視で電子機器１の筐体の領域外に配置されるもの（すなわち、カラー表示手段２２がカラー液晶表示手段によって構成されるもの）に比べ、電子機器１の径方向における小型化を図ることができる。
【００３１】
（電子機器の表示制御動作）
つぎに、電子機器１の表示制御方法について、図３を参照して詳細に説明する。
図３は、実施形態の電子機器１の表示制御動作を示すフローチャートである。
【００３２】
まず、スタートにおいて、電子機器１の電源をオンにして、セグメント表示手段１２及びカラー表示手段２２を起動するとともに表示制御手段を起動して、ステップＳ１に進む。
【００３３】
ステップＳ１において、第１中央演算処理装置１１は、第１入力操作手段１６による入力操作の有無を判定する。第１入力操作手段１６による入力操作がない場合（Ｎｏの場合）にステップＳ２に進み、第１入力操作手段１６による入力操作があった場合（Ｙｅｓの場合）にステップＳ７に分岐する。なお、ステップＳ７について後述する。
【００３４】
ステップＳ１でＮｏの場合に、ステップＳ２において、第２中央演算処理装置２１は、第２入力操作手段２６による入力操作の有無を判定する。第２入力操作手段２６による入力操作がない場合（Ｎｏの場合）にステップＳ３に進み、第２入力操作手段２６による入力操作があった場合（Ｙｅｓの場合）にステップＳ７に分岐する。
【００３５】
ステップＳ２でＮｏの場合に、ステップＳ３において、第２中央演算処理装置２１は、無線通信手段２４の受信有無を判定する。無線通信手段２４に受信（例えば、外部の電子機器からのメールやメッセージのような通信）がない場合（Ｎｏの場合）にステップＳ４に進み、無線通信手段２４に受信があった場合（Ｎｏの場合）にステップＳ７に分岐する。
【００３６】
ステップＳ３でＮｏの場合に、ステップＳ４において、第１中央演算処理装置１１は、加速度センサ１３ａ（傾き検知手段）によって検知された電子機器１の傾きが第２の閾値（例えば、３０度）を超えるか否かを判定する。電子機器１の傾きが第２の閾値を超える場合（Ｙｅｓの場合、すなわち、ユーザが電子機器１の表示を見ている場合）にステップＳ５に進み、電子機器１の傾きが第２の閾値以下である場合（Ｎｏの場合、すなわち、ユーザが電子機器１の表示を見ていない場合）にステップＳ６に分岐する。なお、ステップＳ６について後述する。
【００３７】
ステップＳ４でのＹｅｓの場合に、ステップＳ５において、第１中央演算処理装置１１は、照度センサ１３ｅによって検知された環境光の照度が第１の閾値を超えるか否かを判定する。環境光の照度が第１の閾値を超える場合（Ｙｅｓの場合、すなわち、環境光が十分明るい場合）にステップＳ６に進み、環境光の照度が第１の閾値以下である場合（Ｎｏの場合、すなわち、環境光が暗い場合）にステップＳ７に分岐する。
【００３８】
ステップＳ５でＹｅｓの場合（すなわち、環境光が十分明るい場合）に、ステップＳ６において、第１中央演算処理装置１１は、セグメント表示手段１２に情報を表示させる。これにより、電子機器１の表示が見えやすくなるように明るい環境光に適するセグメント表示手段１２に情報を表示させることで消費電力を低減できる。
【００３９】
また、ステップＳ４でＮｏの場合（すなわち、ユーザが電子機器１の表示を見ていない場合）に、環境光の明るさによることなく、ステップＳ６において、第１中央演算処理装置１１は、セグメント表示手段１２に情報を表示させる。これにより、電子機器１の消費電力をより低減することができる。
【００４０】
一方、ステップＳ１又はＳ２でＹｅｓの場合（すなわち、入力操作手段による入力操作がある場合）に、電子機器１の傾き又は環境光の明るさによることなく、ステップＳ７において、第２中央演算処理装置２１は、カラー表示手段２２に情報を表示させる。これにより、ユーザが電子機器１を入力操作する際にカラー表示手段２２に情報を表示させることで、情報の表示がカラー表示からセグメント表示に切り替わることを防止することができる。
【００４１】
また、ステップＳ３でＹｅｓの場合（すなわち、外部の電子機器からの通信があった場合）に、電子機器１の傾き又は環境光の明るさによることなく、ステップＳ７において、第２中央演算処理装置２１は、カラー表示手段２２に情報を表示させる。これにより、情報の表示がセグメント表示からカラー表示に切り替わることでユーザに対して通信があったことを報知することができる。
【００４２】
さらに、ステップＳ５でＮｏの場合（すなわち、環境光が暗い場合）に、ステップＳ７において、第２中央演算処理装置２１は、カラー表示手段２２に情報を表示させる。これにより、電子機器１の表示が見えやすくなるように暗い環境光に適するカラー表示手段２２に情報を表示させることができる。
【００４３】
本実施形態では、セグメント表示手段１２又はカラー表示手段２２に表示させる情報の内容は、同一のものであり、その表示態様又は色が同一であることが好ましい。カラー表示手段２２は、セグメント表示手段１２よりも表示できる情報量を多くすることができる。ここで、セグメント表示手段１２又はカラー表示手段２２が表示する内容が同一であるとうことは、そもそもカラー表示するまでもなく、セグメント表示でも十分に情報量として足りるものであると考えられるが、表示する情報がこのようなものであればこそ、カラー表示する必要がない場合であってもカラー表示してしまうことを抑制することができるという本実施形態であれば、必要としている情報量を変化させることなく消費電力を抑制することができる。
【００４４】
なお、もちろん、本発明は、セグメント表示手段１２又はカラー表示手段２２に表示させる情報を同一の内容のものとすることに限定するものではないし、その表示態様又は色を同一とすることに限定するものではなく、例えば、異なるものであってもよいことはもちろんである。
【００４５】
また、本実施形態では、第１中央演算処理装置１１又は第２中央演算処理装置２１は、ステップＳ１からステップＳ３を順次に実行しているが、これに限定されるものではなく、例えば、ステップＳ１、ステップＳ２及びステップＳ３の順次は、自由に入れ替わってもよい。
【００４６】
（実施形態の効果）
以上、説明したとおり、本実施形態の電子機器１は、第１表示手段としてのセグメント表示手段１２と、セグメント表示手段１２よりも消費電力が大きい第２表示手段としてのカラー表示手段２２と、環境光の明るさを検知する光検知手段としての照度センサ１３ｅと、照度センサ１３ｅによって検知された環境光の明るさが第１の閾値を超える場合にセグメント表示手段１２に情報を表示させ、環境光の明るさが第１の閾値以下である場合にカラー表示手段２２に情報を表示させる第１中央演算処理装置１１及び第２中央演算処理装置２１とを備え、カラー表示手段２２は、少なくとも、照度センサ１３ｅによって検知された環境光の明るさが第１の閾値以下である場合においてはセグメント表示手段１２よりも明るいものである。これにより、セグメント表示手段１２又はカラー表示手段２２を選択して情報を表示させる構成において、消費電力を低減できる。
【００４７】
また、本実施形態の電子機器１では、加速度センサ１３ａによって構成され電子機器１の傾きを検知する傾き検知手段を更に備え、第１中央演算処理装置１１及び第２中央演算処理装置２１は、傾き検知手段によって検知された電子機器１の傾きが第２の閾値を超える場合に環境光の明るさが第１の閾値を超えるか否かによって、セグメント表示手段１２又はカラー表示手段２２を選択して情報を表示させ、電子機器１の傾きが第２の閾値以下である場合に環境光の明るさによらずセグメント表示手段１２に情報を表示させる。これにより、電子機器１の傾きが第２の閾値を超える場合（すなわち、ユーザが電子機器１の表示を見ている場合）に環境光の明るさに応じて、セグメント表示手段１２又はカラー表示手段２２を選択して情報を表示させることができ、電子機器１の傾きが第２の閾値以下である場合（すなわち、ユーザが電子機器１の表示を見ていない場合）に環境光の明るさによらずセグメント表示手段１２に情報を表示させることで、電子機器１の消費電力をより低減することができる。
【００４８】
さらに、本実施形態の電子機器１では、第１中央演算処理装置１１及び第２中央演算処理装置２１は、電子機器１が入力操作された場合又は外部の電子機器からの通信があった場合に、電子機器１の傾き又は環境光の明るさによらずカラー表示手段２２に情報を表示させる。これにより、電子機器１が入力操作された場合に情報の表示がカラー表示からセグメント表示に切り替わることを防止することができるとともに、外部の電子機器からの通信があった場合に情報の表示がセグメント表示からカラー表示に切り替わることでユーザに対して通信があったことを報知することができる。
【００４９】
以上、本発明を、実施形態を用いて説明したが、本発明の技術的範囲は上記の実施形態に記載の発明の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【００５０】
（変形例）
本実施形態では、電子機器１は、図２に示される構成を備えているが、これらに限定されるものではなく、例えば、ブザーやスピーカなどの音響手段、や振動モータや振動子などの振動手段からなる出力手段（報知手段）を備えてもよいし、電池残量を測定する電池測定手段を備えてもよい。
【００５１】
また、本実施形態では、電子機器１は、第１中央演算処理装置１１に接続される第１入力操作手段１６及び第２中央演算処理装置２１に接続される第２入力操作手段２６を備えているが、これに限定されるものではなく、例えば、第１中央演算処理装置１１及び第２中央演算処理装置２１の両方に接続される入力操作手段を備えてもよい。
【００５２】
さらに、本実施形態では、センサ手段１３は、図１に示されるものを備えているが、これらに限定されるものではなく、例えば、気圧センサや温湿度センサを備えてもよい。
【００５３】
なお、本実施形態では、センサ手段１３は、全て第１中央演算処理装置１１に接続されているが、これに限定されるものではなく、例えば、その一部が第２中央演算処理装置２１に接続されてもよい。
【００５４】
くわえて、本実施形態では、第１中央演算処理装置１１と第２中央演算処理装置２１とは、異なる表示ブロックに設けられる個別の構成として図示しているが、これに限定されるものではなく、例えば、システムオンチップ（Ｓｙｓｔｅｍ−ｏｎ−ａ−ｃｈｉｐ；ＳＯＣ）の形態で、単一の半導体基板上に搭載されて一体化されたものであってもよい。
【００５５】
そして、本実施形態では、第２表示手段としてのカラー表示手段２２は、有機ＥＬ表示手段によって構成されているが、これに限定されるものではなく、例えば、カラー液晶表示手段によって構成されてもよく、この場合、カラー表示手段２２を構成するカラー液晶表示手段は、カラー液晶表示パネル及びカラー液晶表示パネルの背面側に配置されるバックライトによって構成されている。さらに、この場合、照度センサ１３ｅを電子機器１の筐体の領域内に配置できず電子機器１の筐体の領域外における窓部内に配置しなければならない。
【００５６】
かつ、本実施形態では、電子機器１は、視認側に配置されるタッチパネル２６と、背面側に配置されるカラー表示手段２２と、タッチパネル２６及びカラー表示手段２２の間に挟持されるセグメント表示手段１２とを有しているが、これに限定されるものではなく、例えば、タッチパネル２６を有しておらず、視認側に配置されるセグメント表示手段１２と、セグメント表示手段１２の上に積層されるとともに背面側に配置されるカラー表示手段２２とを有してもよい。
【００５７】
以下に、この出願の願書に最初に添付した特許請求の範囲に記載した発明を付記する。付記に記載した請求項の項番は、この出願の願書に最初に添付した特許請求の範囲のとおりである。
＜請求項１＞
第１表示手段と、
前記第１表示手段よりも消費電力が大きい第２表示手段と、
環境光の明るさを検知する光検知手段と、
前記光検知手段によって検知された環境光の明るさが第１の閾値を超える場合に前記第１表示手段に情報を表示させ、環境光の明るさが前記第１の閾値以下である場合に前記第２表示手段に情報を表示させる表示制御手段とを備え、
前記第２表示手段は、少なくとも、前記光検知手段によって検知された環境光の明るさが前記第１の閾値以下である場合においては前記第１表示手段よりも明るい
ことを特徴とする電子機器。
＜請求項２＞
前記電子機器の傾きを検知する傾き検知手段を更に備え、
前記表示制御手段は、前記傾き検知手段によって検知された前記電子機器の傾きが第２の閾値を超える場合に環境光の明るさが前記第１の閾値を超えるか否かによって、前記第１表示手段又は前記第２表示手段を選択して情報を表示させ、前記電子機器の傾きが前記第２の閾値以下である場合に環境光の明るさによらず前記第１表示手段に情報を表示させる
ことを特徴とする請求項１に記載の電子機器。
＜請求項３＞
前記表示制御手段は、前記電子機器が入力操作された場合又は外部の電子機器からの通信があった場合に、前記電子機器の傾き又は環境光の明るさによらず前記第２表示手段に情報を表示させる
ことを特徴とする請求項１又は２に記載の電子機器。
＜請求項４＞
前記表示制御手段は、前記第１表示手段又は前記第２表示手段に同一内容の情報を表示させる
ことを特徴とする請求項１から３までのいずれか１項に記載の電子機器。
＜請求項５＞
前記第１表示手段又は前記第２表示手段に表示させる情報は、その表示態様又は色が同一である
ことを特徴とする請求項４に記載の電子機器。
＜請求項６＞
前記第１表示手段は、セグメント表示手段からなり、
前記第２表示手段は、カラー液晶表示手段からなる
ことを特徴とする請求項１から５までのいずれか１項に記載の電子機器。
＜請求項７＞
前記第１表示手段は、セグメント表示手段からなり、
前記第２表示手段は、自発光型表示手段からなる
ことを特徴とする請求項１から５までのいずれか１項に記載の電子機器。
＜請求項８＞
第１表示手段と、前記第１表示手段よりも消費電力が大きい第２表示手段とを備える電子機器の表示制御方法であって、
環境光の明るさを検知するステップと、
検知された環境光の明るさが第１の閾値を超える場合に前記第１表示手段に情報を表示させ、環境光の明るさが前記第１の閾値以下である場合に前記第２表示手段に情報を表示させるステップとを含み、
前記第２表示手段は、少なくとも、検知された環境光の明るさが前記第１の閾値以下である場合においては前記第１表示手段よりも明るい
ことを特徴とする表示制御方法。
＜請求項９＞
第１表示手段と、前記第１表示手段よりも消費電力が大きい第２表示手段とを備える電子機器の表示制御プログラムであって、
環境光の明るさを検知する光検知処理と、
検知された環境光の明るさが第１の閾値を超える場合に前記第１表示手段に情報を表示させ、環境光の明るさが前記第１の閾値以下である場合に前記第２表示手段に情報を表示させる表示処理とを少なくとも実行させ、
前記第２表示手段は、少なくとも、検知された環境光の明るさが前記第１の閾値以下である場合においては前記第１表示手段よりも明るい
ことを特徴とする表示制御プログラム。
【符号の説明】
【００５８】
１            電子機器
ＢＬ１        第１表示ブロック
１１        第１中央演算処理装置（表示制御手段）
１２        セグメント表示手段（第１表示手段）
１２１    偏光板
１２２    基板
１２３    ＩＴＯ共通電極
１２４    液晶層
１２５    ＩＴＯ画素電極
１２６    基板
１３        センサ手段
１３ａ    加速度センサ（傾き検知手段）
１３ｂ    ジャイロセンサ
１３ｃ    地磁気センサ
１３ｄ    脈拍センサ
１３ｅ    照度センサ（光検知手段）
１４        ＧＰＳ情報取得手段
１５        第１記憶手段
１６        第１入力操作手段
ＢＬ２        第２表示ブロック
２１        第２中央演算処理装置（表示制御手段）
２２        カラー表示手段（第２表示手段）
２２１    基板
２２２    ＩＴＯ透明電極
２２３    正孔輸送層
２２４    有機発光層
２２５    電子輸送層
２２６    陰極
２２７    黒テープ
２３        近距離無線通信手段
２４        無線通信手段
２５        第２記憶手段
２６        第２入力操作手段（タッチパネル）
【図１】
2019159226.tif 000003
【図２】
2019159226.tif 000004
【図３】
2019159226.tif 000005